(57)【要約】      （修正有）【課題】電源コンセントの内部に付着した塵や埃を除去する掃除具を提供する。【解決手段】掃除具１００は、掃除機に吸い込まれる気流を導く吸塵風路部材に接続され、吸引口１０１および接続部１０２を具備する。吸引口は、電源コンセントのプラグ差し込み口が配置された面を覆う形状に構成される。接続部は、吸塵風路部材に着脱可能に接続される。【選択図】図１
0003221928.tif 000002
【実用新案登録請求の範囲】
【請求項１】
掃除機に吸い込まれる気流を導く吸塵風路部材に接続される掃除具であって、
電源コンセントのプラグ差し込み口が配置された面を覆う形状に構成された吸引口と、
前記吸塵風路部材に着脱可能に接続される接続端部と
を具備する掃除具。
【請求項２】
前記吸引口に付設される弾性部材をさらに具備する請求項１記載の掃除具。
【考案の詳細な説明】
【技術分野】
【０００１】
本考案は、掃除具に関する。詳しくは、電気掃除機等に装着される掃除具に関する。
【背景技術】
【０００２】
従来、掃除機の集塵能力を向上させるためのアタッチメント形状の掃除用具が使用されている。例えば、集塵ホース等の先端に装着される用具筒体と、この用具筒体に内挿されて清掃部材が配置される用具軸とを備える掃除用具が使用されている。用具筒体は、一端が出入り口として開口され、他端が集塵ホースに着脱可能な挿入筒端部に構成される。用具軸は用具筒体の軸方向に移動可能に支持されるとともに用具筒体の出入り口から突出可能な長さに構成される。清掃部材は静電気により塵を付着する毛材により構成され、用具軸の出入り口から突出する部分に配置される（例えば、特許文献１参照。）。
【先行技術文献】
【特許文献】
【０００３】
【特許文献１】特開２０１１−０００３９３号公報
【考案の概要】
【考案が解決しようとする課題】
【０００４】
塵や埃により引き起こされる災害としてトラッキング現象による火災が挙げられる。ここで、トラッキング現象とは、コンセントに差し込まれたプラグの２つの差し刃の間に付着した塵に湿気等の水分が加わって電路が形成される現象である。塵により形成された電路を流れる微小な電流により発熱を生じる。塵の付着量が増加すると流れる電流が増加して発熱量も増加する。この発熱によりプラグやコンセントを構成する樹脂等の絶縁能力が劣化するとさらに電流が増加する。プラグの差し刃の間やコンセントの差し込み口の間が炭化して炭化導電路が形成されるまで電流が増加すると発火し、火災の原因になる。
【０００５】
また、このようなトラッキング現象は、プラグやコンセントの表面に留まらず、コンセント内部においても生じる。コンセントの内部にはプラグの差し刃を挟持する電極が配置されており、この電極の間に塵が付着するとトラッキング現象を生じる。コンセント内部において発火等を生じる可能性がある。
【０００６】
上述の従来技術では、コンセントの表面の清掃には効力を有するが、コンセントの内部の塵や埃の除去ができないという問題がある。
【０００７】
本考案は、上述した問題点に鑑みてなされたものであり、電源コンセントの内部に貯まった塵や埃を容易に除去することを目的としている。
【課題を解決するための手段】
【０００８】
本考案は、上述の問題点を解消するためになされたものであり、その第１の態様は、掃除機に吸い込まれる気流を導く吸塵風路部材に接続される掃除具であって、電源コンセントのプラグ差し込み口が配置された面を覆う形状に構成された吸引口と、上記吸塵風路部材に着脱可能に接続される接続端部とを具備する掃除具である。
【０００９】
また、この第１の態様において、上記吸引口に付設される弾性部材をさらに具備してもよい。
【考案の効果】
【００１０】
このような態様を採ることにより、電源コンセントのプラグ差し込み口が吸引口により覆われるという作用をもたらす。掃除機に吸い込まれる気流のプラグ差し込み口への集中が想定される。
【図面の簡単な説明】
【００１１】
【図１】本考案の実施の形態に係る掃除具の構成例を示す図である。
【図２】本考案の実施の形態に係る掃除具の構成例を示す断面図である。
【図３】本考案の実施の形態に係る掃除具の使用方法の一例を示す図である。
【図４】本考案の実施の形態に係る掃除具が適用される電源コンセントの一例を示す図である。
【考案を実施するための形態】
【００１２】
次に、図面を参照して、本考案を実施するための形態（以下、実施の形態と称する）を説明する。以下の図面において、同一または類似の部分には同一または類似の符号を付している。
【００１３】
［掃除具の構成］
図１は、本考案の実施の形態に係る掃除具の構成例を示す図である。同図は、掃除具１００の構成例を表す図である。同図におけるＡ、Ｂ、ＣおよびＤは、それぞれ掃除具１００の正面図、側面図、底面図および上面図を表す。
【００１４】
同図の掃除具１００は、掃除機に吸い込まれる気流を導く吸塵風路部材に接続される掃除具である。ここで、掃除機とは、電気掃除機等の外気を吸引しながら外気とともに塵や埃を吸引する装置である。この掃除機には、外気とともに塵等を吸引する吸塵口が配置される。吸塵風路部材とは、掃除機の吸塵口に接続される部材であり、吸引ホースや延長管等が該当する。
【００１５】
［掃除具の断面の構成］
図２は、本考案の実施の形態に係る掃除具の構成例を示す断面図である。同図は、掃除具１００の構成例を表す断面図であり、図１におけるＤのａ−ａ’線に沿う断面図である。同図に表したように、掃除具１００は、中空の形状（筒体）に構成され、吸引口１０１および接続端部１０２の２つの端部を備える。この吸引口１０１から接続端部１０２に向かう方向に気流が導かれる。
【００１６】
接続端部１０２は、吸塵風路部材に着脱可能に接続される端部であり、筒体の開口部が形成される端部である。同図に表したように、筒体は接続端部１０２に向かって径がすぼまった形状に構成される。このような形状の接続端部１０２が後述する吸塵風路部材２０の開口部に嵌挿される。なお、接続端部１０２の構成は、この例に限定されない。例えば、吸塵風路部材２０に雌ねじを形成し、接続端部１０２の近傍の筒体に雄ねじを形成して吸塵風路部材２０に螺着される構成にすることもできる。
【００１７】
吸引口１０１は、上述の筒体における他方の開口部に形成される端部であり、電源コンセントのプラグ差し込み口が配置された面を覆う形状に構成される端部である。この吸引口１０１で電源コンセントのプラグ差し込み口が配置された面を覆うことにより、プラグ差し込み口以外の部分からの気流の流入を制限することができる。すなわち、吸塵の気流をプラグ差し込み口に集中させることができる。これにより、電源コンセント内部に付着した塵や埃の吸塵力を向上させることができる。図３において後述するように、同図の吸引口１０１は、２つ口コンセントを想定したものである。なお、吸引口１０１の構成は、この例に限定されない。例えば、１つ口コンセント等の他の形状の電源コンセントに適合する形状に構成することもできる。
【００１８】
掃除具１００は、例えば、樹脂により構成することができる。例えば、ポリプロピレンやポリ塩化ビニルにより構成することができる。また、ガラス布や炭素繊維により強化した樹脂により構成することもできる。また、掃除具１００を金属により構成することもできる。
【００１９】
また、吸引口１０１に弾性率が低い部材である弾性部材を配置することもできる。この弾性部材は、例えば、ゴム等の弾性率が低い材料により構成され、吸引口１０１の部分に付設して配置することができる。この弾性部材を配置することにより、後述するコンセントカバー１１に掃除具１００を容易に密着させることができる。塵や埃の吸引力を向上させることができる。また、電源コンセント１２の清掃の際、コンセントカバー１１の表面を保護することができる。
【００２０】
［掃除具の使用方法］
図３は、本考案の実施の形態に係る掃除具の使用方法の一例を示す図である。同図におけるＡは、清掃対象である壁コンセント１０の構成および掃除具１００の配置を表す図である。壁コンセント１０は、中央部に電源コンセント１２が配置され、電源コンセント１２の周囲にコンセントカバー１１が配置される。電源コンセント１２は、２つ口コンセントを構成し、プラグ差し込み口１３が２組配置される。また、掃除具１００は、接続端部１０２が吸塵風路部材２０の先端部に接続されて使用される。同図の吸塵風路部材２０は、不図示の掃除機本体に接続される吸引ホースである。
【００２１】
同図におけるＢは、掃除具１００による壁コンセント１０の清掃の様子を表す図である。同図におけるＢに表したように、掃除具１００は、吸引口１０１が壁コンセント１０の電源コンセント１２を覆うとともにコンセントカバー１１に密着するように支持される。この状態において掃除機による吸塵を開始すると、吸引力がプラグ差し込み口１３に集中し、プラグ差し込み口１３を介して電源コンセント１２の内部の塵や埃を吸引することができる。
【００２２】
図４は、本考案の実施の形態に係る掃除具が適用される電源コンセントの一例を示す図である。同図は、上述の壁コンセント１０の水平方向の断面を表した図である。壁コンセント１０に配置された電源コンセント１２の内部には、１対の電極１４が配置される。この電極１４は、差し込み口１３を介して挿入されたプラグの差し刃を挟持する。また、電極１４には、電線１５の導線部分がねじ止めされて接続される。この２つの電極１４の間に塵や埃が付着するとトラッキング現象を生じる。掃除具１００は、電極１４の近傍を含む電源コンセント１２の内部の塵等をプラグ差し込み口１３から吸塵する。この吸塵の際の気流は、電線１５の取付け孔（不図示）等を介して供給される。このように、電源コンセント１２の内部に付着した塵や埃を除去することができ、トラッキング現象の発生を防止することができる。
【００２３】
最後に、上述した各実施の形態の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることは勿論である。
【００２４】
また、上述の実施の形態における図面は、模式的なものであり、各部の寸法の比率等は現実のものとは必ずしも一致しない。また、図面相互間においても互いの寸法の関係や比率が異なる部分が含まれることは勿論である。
【符号の説明】
【００２５】
１０  壁コンセント
１２  電源コンセント
１３  プラグ差し込み口
１４  電極
２０  吸塵風路部材
１００  掃除具
１０１  吸引口
１０２  接続端部
【図１】
0003221928.tif 000003
【図２】
0003221928.tif 000004
【図３】
0003221928.tif 000005
【図４】
0003221928.tif 000006